(57)【要約】【課題】  導流構造下の渦流面積を効果的に減少し、ファンロータ下へ吹きつける風流量および風速を増大させる放熱ファンの導流構造改良を提供する。【解決手段】  ファンロータ２１１およびモータステータ２１２を有し、モータステータ２１２上は軸芯２１２ａと環接部２１２ｂとを有し、ファンロータ２１１はモータステータ２１２の軸芯２１２ａに枢接するファンモジュール２１と、複数個の導流羽根２２１により構成される導流構造と、を主に具備する。【選択図】  図１
0003103807.tif 000002
【実用新案登録請求の範囲】
【請求項１】
ファンロータおよびモータステータを有し、前記モータステータ上は軸芯と環接部とを有し、前記ファンロータは前記モータステータの前記軸芯に枢接するファンモジュールと、
複数個の導流羽根により構成される導流構造と、
を主に具備する放熱ファンの導流構造改良であって、
前記複数個の導流羽根上は環形部を有し、前記導流羽根と前記モータステータの前記環接部とを一体成形し、前記環形部により、前記ファンロータが回転するとき、電子素子の存在により風流が前記導流構造の前記導流羽根下に押し返されて形成する渦流面積を減らし、前記ファンロータが前記電子素子に吹付ける速度と風量を増大することを特徴とする放熱ファンの導流構造改良。
【請求項２】
前記環形部は上端に斜部を有し、風流の速度および風向ガイド性を増大することを特徴とする請求項１記載の放熱ファンの導流構造改良。
【請求項３】
ファンロータおよびモータステータを有し、前記モータステータ上は軸芯と環接部とを有し、前記ファンロータは前記モータステータの前記軸芯に枢接するファンモジュールと、
複数個の導流羽根により構成される導流構造と、
を主に具備する放熱ファンの導流構造改良であって、
前記複数個の導流羽根上は環形部を有し、前記導流羽根と前記フレームとを一体成形し、前記フレームを前記モータステータ上に設け、前記環形部により、前記ファンロータが回転するとき、電子素子の存在により風流が前記導流構造の前記導流羽根下に押し返されて形成する渦流面積を減らし、前記ファンロータが前記電子素子に吹付ける速度と風量を増大することを特徴とする放熱ファンの導流構造改良。
【請求項４】
前記環形部は上端に斜部を有し、風流の速度および風向ガイド性を増大することを特徴とする請求項３記載の放熱ファンの導流構造改良。
【考案の詳細な説明】
【技術分野】
【０００１】
本考案は放熱ファンの導流構造改良に関し、特に放熱ファンの導流構造上に設けられた環形部により、ファンロータが回転する時に、電子素子の存在により風流が導流構造の導流羽根へ押し返されて形成される渦流面積を減少し、ファンロータが電子素子に吹き付ける速度と風量を増大させて、電子素子が運転時に発生する熱量を効果的に排出する。
【背景技術】
【０００２】
普通、電子素子が作動すると非常に大きな熱量が発生し、この熱量が直ちに効率良く排出されない場合、電子素子の作動がスムーズでなくなり、コンピュータまたは情報産品の全体の作動機能が低下した。そのため、一般的に熱量を効果的に排除し、電子素子上に金属放熱器および放熱ファンを設けることにより、熱量の排除を加速した。例えば、特許文献１において、第１フレームと第１導流部とを有する組合式ファンおよびそれを使用するファンフレーム構造が開示され、第１導流部を第１フレームへ設け、第１導流部は複数の静止羽根が放射状に配列されて構成され、少なくとも一つの放熱装置が回転した時に、複数個の静止羽根は少なくとも一つの放熱装置が発生する気流の風量および風圧を増大することができる。しかし、本発明において、導流部の静止羽根下で、電子素子の存在により押し返される反圧風量は放熱ファンが下に吹きつける風量を相殺し、放熱ファン全体の放熱効率に影響を与えた。
【特許文献１】台湾特許第５２３６５２号公報
【考案の開示】
【考案が解決しようとする課題】
【０００３】
本考案の主な目的は、導流構造下の渦流面積を効果的に減少し、ファンロータ下へ吹きつける風流量および風速を増大させる放熱ファンの導流構造改良を提供することにある。
【課題を解決するための手段】
【０００４】
上述の目的を達成するために、本考案の放熱ファンの導流構造改良は、ファンモジュール上の導流構造に環形部を加え、押し返された風流を環形部により分散し、ファンロータが下に吹きつける風流と押し返された風流が相殺されることを効果的に減少し、ファンロータが電子素子に吹き付ける速度および流量を増大させて、電子素子の熱量排除を加速し、電子素子の正常な作動を維持する。
【考案の効果】
【０００５】
本考案の放熱ファンの導流構造改良は、電子素子が運転時に発生する熱量を効果的に排出することができる。
【考案を実施するための最良の形態】
【０００６】
本考案の上述した目的およびその構造と機能における特性を、図面に示した好適な実施例により説明する。
【０００７】
図１から図６に示すように、本考案の第１実施例は、主にファンモジュール２１および導流構造２２を含み、ファンモジュール２１はファンロータ２１１およびモータステータ２１２を有し、モータステータ２１２上は軸芯２１２ａおよび環接部２１２ｂを有する。導流構造２２は複数個の導流羽根２２１により構成され、導流羽根２２１およびモータステータ２１２の環接部２１２ｂを一体成形し、複数個の導流羽根２２１上には環形部２２２があり、環形部２２２上端は斜部２２２ａを有し、環形部２２２内側には環形空間２２２ｂが形成される。
【０００８】
ファンロータ２１１はモータステータ２１２の軸芯２１２ａ上に枢接され、環形部２２２を導流構造２２の導流羽根２２１上に周設し、環形部２２２上端の斜部２２２ａは風流の速度および風向ガイド性を向上させることができる。
【０００９】
ファンモジュール２１を通電すると、ファンロータ２１１の運転により、導流構造２２から電子素子２３上まで風流が形成されるが、電子素子２３上まで吹かれる風流は、電子素子２３の存在により、導流構造２２の導流羽根２２１下方へ押し返され、環形部２２２の設置は押し返された風流を分散し、導流構造２２の導流羽根２２１下方へ押し返される風流面積を減少させる。また環形部２２２は、環形空間２２２ｂが渦流を発生させることを防ぐことができるため、渦流が流動する面積を減少させる。そのため渦流の流量を効果的に減少させ、環形部２２２上端が有する斜部２２２ａはファンロータ２１１が下へ吹きつける風流速度を加速させ、電子素子２３へ吹き付けるファンモジュール２１の風流量および速度を効果的に増大させ、ファンモジュール２１の放熱効果を増進させる。
【００１０】
図７および図８は、従来の導流構造を有するファンおよび本考案の風流実験を示す。図７は従来の導流構造を有するファンの風流を示し、放熱モジュール１１上にファンロータ１１１を設置するとともに、ファン羽根１２１を有する導流構造１２と枢接する。それら二つの図によると、導流構造１２および導流構造２２下方の風流状況から分かるように、本考案の導流構造２２上に設けた環形部２２２は、押し返された風流を分散し、環形空間２２２ｂの渦流を効果的に減少して、導流構造２２下方の渦流面積を減少させ、環形部２２２上端が有する斜部２２２ａは、ファンロータ２１１が下向きに吹付ける風流速度を加速することができるため、環形部２２２はファンロータ２１１が下に吹きつける風流と押し返された風流とが相殺されることを効果的に減少し、電子素子２３に吹きつけるファンロータ２１１の風量および速度を増大させ、電子素子２３の熱量排除を加速させて、電子素子２３の正常な作動を維持する。
【００１１】
図９から図１４に示すのは、本考案の第２実施例であり、それは主にファンモジュール３１および導流構造３２を含み、ファンモジュール３１はファンロータ３１１およびモータステータ３１２を有し、モータステータ３１２上は軸芯３１２ａおよび環接部３１２ｂを具備する。導流構造３２は複数個の導流羽根３２１により構成され、導流羽根３２１とフレーム３２３とを一体成形してフレーム３２３の中心柱３２３ａの外側に周設し、複数個の導流羽根３２１上には環形部３２２が設けられ、環形部３２２上端は斜部３２２ａを有し、環形部３２２内側に環形空間３２２ｂを形成する。
【００１２】
ファンロータ３１１はモータステータ３１２の軸芯３１２ａ上に枢接され、環形部３２２は導流構造３２の導流羽根３２１上に周設され、環形部３２２上端の斜部３２２ａは風流速度および風向ガイド性を増大させ、フレーム３２３はモータステータ３１２上に設けられる。
【００１３】
ファンモジュール３１が通電されると、ファンロータ３１１の運転により導流構造３２から電子素子３３上までの風流が形成され、電子素子３３上まで吹かれた風流は、電子素子３３の存在のため、導流構造３２の導流羽根３２１下方へ押し返され、環形部３２２の設置により押し返された風流を分散させ、導流構造３２の導流羽根３２１下方の押し返される風流面積を減少させる。そして、効果的に渦流の流量を減少し、環形部３２２上端が有する斜部３２２ａはファンロータ３１１下に吹き込む風流速度を加速させ、ファンモジュール３１全体は電子素子３３の風流量および速度を効果的に増大させて、ファンモジュール３１の放熱効果を増進させる。
【００１４】
図１５は、本考案と従来の風圧および風流の実験曲線図を示し、図中の縦軸は風圧（Air Pressure）、つまり押し返された風流が発生する風流圧力であり、その単位はmmAqである。また、図中の横軸は風流（Air Flow）で、ファンロータ１１１，２１１，３１１の運転により発生する風流であり、その単位はＣＦＭ（cubic feet per minute）であり、実験曲線４１は本考案の実施例を示し、実験曲線４２は従来技術を示す。実験曲線図において、風流が１２ＣＦＭ後の区域は高風流量区であり、同じ風圧下において、本考案の運転により発生する風流は従来技術よりも１４％以上向上させることができる。このことは本考案の環形部２２２，３２２が、押し返された風流により形成される渦流面積を減少し、押し返された風流が形成する渦流のフロー経路が遮られることを防ぎ、ファンロータ２１１，３１１が下へ吹付ける風流を相殺し、全体の風流量の大きさに影響を与え、従来のファンロータ１１１の反向風圧により全体の風流量が減少する欠点を効果的に改善することができる。
【図面の簡単な説明】
【００１５】
【図１】本考案の第１実施例を示す分解斜視図である。
【図２】本考案の第１実施例を示す斜視図である。
【図３】本考案の第１実施例をもう一つの方向から見た時の分解斜視図である。
【図４】本考案の第１実施例をもう一つの方向から見た時の斜視図である。
【図５】本考案の第１実施例を示す上面図である。
【図６】本考案の第１実施例における風流を示す図である。
【図７】従来技術における風流実験を示す図である。
【図８】本考案の第１実施例における風流実験を示す図である。
【図９】本考案の第２実施例を示す分解斜視図である。
【図１０】本考案の第２実施例を示す斜視図である。
【図１１】本考案の第２実施例をもう一つの方向から見た時の分解斜視図である。
【図１２】本考案の第２実施例をもう一つの方向から見た時の斜視図である。
【図１３】本考案の第２実施例を示す上面図である。
【図１４】本考案の第２実施例における風流を示す図である。
【図１５】本考案と従来技術の風圧と風流を示す実験曲線図である。
【符号の説明】
【００１６】
１１…ファンモジュール、１１１…ファンロータ、１２…導流構造、１２１…放熱羽根、
２１…ファンモジュール、２１１…ファンロータ、２１２…モータステータ、
２１２ａ…軸芯、２１２ｂ…環接部、２２…導流構造、２２１…導流羽根、
２２２…環形部、２２２ａ…斜部、２２２ｂ…環形空間、２３…電子素子、
３１…ファンモジュール、３１１…ファンロータ、３１２…モータステータ、
３１２ａ…軸芯、３１２ｂ…環接部、３２…導流構造、３２１…導流羽根、
３２２…環形部、３２２ａ…斜部、３２２ｂ…環形空間、３２３…フレーム、
３２３ａ…中心柱、３３…電子素子、４１…実験曲線、４２…実験曲線
【図１】
0003103807.tif 000003
【図２】
0003103807.tif 000004
【図３】
0003103807.tif 000005
【図４】
0003103807.tif 000006
【図５】
0003103807.tif 000007
【図６】
0003103807.tif 000008
【図７】
0003103807.tif 000009
【図８】
0003103807.tif 000010
【図９】
0003103807.tif 000011
【図１０】
0003103807.tif 000012
【図１１】
0003103807.tif 000013
【図１２】
0003103807.tif 000014
【図１３】
0003103807.tif 000015
【図１４】
0003103807.tif 000016
【図１５】
0003103807.tif 000017